(57)【要約】【課題】印刷出力された用紙中の画像に対する機密保護を図る。【解決手段】図５は、１１頁にわたり用紙Ｐを出力させる際に機密保護出力が全く適用されない場合（図５（ａ））と、７頁目の出力後に他人の存在が確認でき、この他人がまだ存在する場合（図５（ｂ））、その後にこの他人が立ち去った場合（図５（ｃ））、の排紙部における出力の状況を示す図である。図５（ｂ）の場合には、白紙Ｐ０が７頁の後に追加されており、これによってこの時点で一番上にある７頁目の用紙Ｐが遮蔽されている。この状態は、この他人が立ち去るまで維持され、この他人が立ち去った後に、排紙部においては、最終的には図５（ｃ）のような形態となる。【選択図】図５
2019010794.tif 000002
【特許請求の範囲】
【請求項１】
画像が形成された用紙を出力させる画像形成装置であって、
周囲を撮像する撮像手段と、
前記画像形成装置の使用者を認識する使用者認識手段と、
前記撮像手段によって得られた撮像データ中における人物を認識する人物認識手段と、
前記人物認識手段によって、前記撮像データ中に前記使用者と異なる他人がいると認識された場合に、前記用紙における前記画像が遮蔽されるように前記用紙を出力する機密保護出力を行わせる制御手段と、
を具備することを特徴とする画像形成装置。
【請求項２】
前記画像に応じて機密性の有無を認識する機密性認識手段を具備し、
前記制御手段は、前記人物認識手段によって前記撮像データ中に前記他人がいると認識され、かつ前記機密性認識手段によって出力される前記画像に前記機密性があると認識された場合において、前記機密保護出力を行わせることを特徴とする請求項１に記載の画像形成装置。
【請求項３】
前記機密性認識手段は、予め設定された文字列が前記画像中において認識された場合に前記機密性があると認識することを特徴とする請求項２に記載の画像形成装置。
【請求項４】
前記機密性認識手段は、前記撮像データ中に前記他人がいると認識された場合に前記画像形成装置と前記他人との間の距離を認識し、予め設定された閾値よりも前記距離が短く、かつ予め設定された文字列が前記画像中において認識された場合に前記機密性があると認識することを特徴とする請求項２に記載の画像形成装置。
【請求項５】
前記文字列は複数の種類に区分されて複数設定され、前記閾値は前記種類毎に設定されることを特徴とする請求項４に記載の画像形成装置。
【請求項６】
前記使用者認識手段は、前記画像形成装置が前記使用者によって操作された際に前記撮像手段によって得られた前記撮像データより、前記使用者を認識することを特徴とする請求項１から請求項５までのいずれか１項に記載の画像形成装置。
【請求項７】
前記制御手段は、前記機密保護出力を行わせるに際して、
複数の頁にわたり前記画像が形成された前記用紙を出力させる際に、白紙である前記用紙を出力させた後で、前記画像が形成されている前記用紙の出力を休止させることを特徴とする請求項１から請求項６までのいずれか１項に記載の画像形成装置。
【請求項８】
前記用紙における両面に前記画像が形成されて出力されることを特徴とする請求項７に記載の画像形成装置。
【請求項９】
前記制御手段は、前記機密保護出力を行わせるに際して、
前記画像が形成された前記用紙の表裏を逆転させて出力させることを特徴とする請求項１から請求項６までのいずれか１項に記載の画像形成装置。
【請求項１０】
前記制御手段は、前記機密保護出力を行わせるに際して、
複数の頁にわたり画像が形成された前記用紙を出力させる際に、前記撮像データ中に前記使用者と異なる他人がいると認識された以降に出力される前記用紙の表裏を逆転させて出力させることを特徴とする請求項９に記載の画像形成装置。
【請求項１１】
前記用紙における片面においてのみ前記画像が形成されて出力されることを特徴とする請求項９又は１０に記載の画像形成装置。
【請求項１２】
前記制御手段は、
前記用紙における片面においてのみ前記画像を形成して出力させる印刷ジョブを実行する際に、前記機密保護出力を行わせるに際して、前記画像が形成された前記用紙の表裏を逆転させて出力させる動作を行わせ、
前記用紙における両面に前記画像を形成して出力させる印刷ジョブを実行する際に、前記機密保護出力を行わせるに際して、白紙である前記用紙を出力させた後で、前記画像が形成されている前記用紙の出力を休止させる動作を行わせることを特徴とする請求項１から請求項６までのいずれか１項に記載の画像形成装置。
【請求項１３】
前記制御手段は、
前記用紙における片面においてのみ前記画像を形成して出力させる第１の印刷ジョブと、前記用紙における両面に前記画像を形成して出力させる第２の印刷ジョブとが並行して入力された場合に、
前記第１のジョブの実行の優先度を、前記第２のジョブの実行の優先度よりも高める制御を行うことを特徴とする請求項１２に記載の画像形成装置。
【発明の詳細な説明】
【技術分野】
【０００１】
本発明は、媒体上に画像を形成して出力する画像形成装置に関する。
【背景技術】
【０００２】
媒体上に画像を形成して出力する画像形成装置として、文書ファイル等の印刷出力をする印刷機能、原稿から画像を読み取るスキャナ機能、読み取られた画像を用紙に印刷して出力するコピー機能、ファクシミリ機能等も有する複合機（ＭＦＰ：Ｍｕｌｔｉ  Ｆｕｎｃｔｉｏｎ  Ｐｒｉｎｔｅｒ）が普及している。こうした画像形成装置は、職場に設置されている場合もあるが、コンビニエンスストア等の商業施設に設置されている場合も多い。ＭＦＰは大型かつ高価であるために、特に個人が私用で用いる際には、こうした商業施設に設置されたものを用いる場合も多い。
【０００３】
一方で、こうした商業施設における人の出入りは自由であるため、こうしたＭＦＰにおいて機密性の高い情報を扱う際には、特に注意を要し、例えば、ＭＦＰにおける表示部（ディスプレイ）においてこうした情報の印刷プレビュー画像が表示されるような場合には、注意を要する。このため、特許文献１には、センサによってＭＦＰ周囲の移動体（人物）の状況を認識し、その状況に応じて情報の機密度を設定し、機密度が高い場合には、表示部における画像を縮小して見にくくする、あるいは非表示にする動作を行う画像形成装置が記載されている。これによって、機密度が高いと判定された場合に、ＭＦＰの近傍にいる他人は、こうした情報に関わるプレビュー画像を見にくくなる、あるいは見ることができなくなり、機密が保持される。
【先行技術文献】
【特許文献】
【０００４】
【特許文献１】特開２００７−２８８３３０号公報
【発明の概要】
【発明が解決しようとする課題】
【０００５】
特許文献１に記載の技術において、他人が見ることを抑制される対象となるのは、表示部における画像であり、用紙上に形成されて出力される画像を他人が使用者と同様に見ることは可能である。一方、用紙上に形成される画像に対して上記のように表示部で表示される画像と同様の処理を行うことは好ましくないことは明らかである。
【０００６】
このため、印刷出力された用紙中の画像に対する機密保護を図ることが望まれた。
【０００７】
本発明はこのような状況に鑑みてなされたものであり、上記課題を解決できる技術を提供することを目的とする。
【課題を解決するための手段】
【０００８】
本発明の画像形成装置は、画像が形成された用紙を出力させる画像形成装置であって、周囲を撮像する撮像手段と、前記画像形成装置の使用者を認識する使用者認識手段と、前記撮像手段によって得られた撮像データ中における人物を認識する人物認識手段と、前記人物認識手段によって、前記撮像データ中に前記使用者と異なる他人がいると認識された場合に、前記用紙における前記画像が遮蔽されるように前記用紙を出力する機密保護出力を行わせる制御手段と、を具備することを特徴とする。
本発明の画像形成装置は、前記画像に応じて機密性の有無を認識する機密性認識手段を具備し、前記制御手段は、前記人物認識手段によって前記撮像データ中に前記他人がいると認識され、かつ前記機密性認識手段によって出力される前記画像に前記機密性があると認識された場合において、前記機密保護出力を行わせることを特徴とする。
本発明の画像形成装置において、前記機密性認識手段は、予め設定された文字列が前記画像中において認識された場合に前記機密性があると認識することを特徴とする。
本発明の画像形成装置において、前記機密性認識手段は、前記撮像データ中に前記他人がいると認識された場合に前記画像形成装置と前記他人との間の距離を認識し、予め設定された閾値よりも前記距離が短く、かつ予め設定された文字列が前記画像中において認識された場合に前記機密性があると認識することを特徴とする。
本発明の画像形成装置において、前記文字列は複数の種類に区分されて複数設定され、前記閾値は前記種類毎に設定されることを特徴とする。
本発明の画像形成装置において、前記使用者認識手段は、前記画像形成装置が前記使用者によって操作された際に前記撮像手段によって得られた前記撮像データより、前記使用者を認識することを特徴とする。
本発明の画像形成装置において、前記制御手段は、前記機密保護出力を行わせるに際して、複数の頁にわたり前記画像が形成された前記用紙を出力させる際に、白紙である前記用紙を出力させた後で、前記画像が形成されている前記用紙の出力を休止させることを特徴とする。
本発明の画像形成装置は、前記用紙における両面に前記画像が形成されて出力されることを特徴とする。
本発明の画像形成装置において、前記制御手段は、前記機密保護出力を行わせるに際して、前記画像が形成された前記用紙の表裏を逆転させて出力させることを特徴とする。
本発明の画像形成装置において、前記制御手段は、前記機密保護出力を行わせるに際して、複数の頁にわたり画像が形成された前記用紙を出力させる際に、前記撮像データ中に前記使用者と異なる他人がいると認識された以降に出力される前記用紙の表裏を逆転させて出力させることを特徴とする。
本発明の画像形成装置は、前記用紙における片面においてのみ前記画像が形成されて出力されることを特徴とする。
本発明の画像形成装置において、前記制御手段は、前記用紙における片面においてのみ前記画像を形成して出力させる印刷ジョブを実行する際に、前記機密保護出力を行わせるに際して、前記画像が形成された前記用紙の表裏を逆転させて出力させる動作を行わせ、前記用紙における両面に前記画像を形成して出力させる印刷ジョブを実行する際に、前記機密保護出力を行わせるに際して、白紙である前記用紙を出力させた後で、前記画像が形成されている前記用紙の出力を休止させる動作を行わせることを特徴とする。
本発明の画像形成装置は、前記制御手段は、前記用紙における片面においてのみ前記画像を形成して出力させる第１の印刷ジョブと、前記用紙における両面に前記画像を形成して出力させる第２の印刷ジョブとが並行して入力された場合に、前記第１のジョブの実行の優先度を、前記第２のジョブの実行の優先度よりも高める制御を行うことを特徴とする。
【発明の効果】
【０００９】
上記の構成により、印刷出力された用紙中の画像に対する機密保護を図ることができる。
【図面の簡単な説明】
【００１０】
【図１】本発明の実施の形態に係る画像形成装置が使用される際の形態を示す斜視図である。
【図２】本発明の実施の形態に係る画像形成装置の制御に関わる構成を示すブロック図である
【図３】本発明の実施の形態に係る画像形成装置において行われる動作の第１の例を示すフローチャートである。
【図４】本発明の実施の形態に係る画像形成装置において行われる動作の第２の例を示すフローチャートである。
【図５】本発明の実施の形態に係る画像形成装置において行われる動作の第２の例によって用紙が出力される状況を示す図である。
【図６】本発明の実施の形態に係る画像形成装置において行われる動作の第３の例を示すフローチャートである。
【図７】本発明の実施の形態に係る画像形成装置において行われる動作の第３の例によって用紙が出力される状況を示す図である。
【発明を実施するための形態】
【００１１】
以下、本発明を実施するための形態について図面を参照して説明する。図１は、本発明の実施の形態に係る画像形成装置１が使用される際の状況を示す斜視図であり、図２は画像形成装置１の制御に関わる構成を示すブロック図である。この画像形成装置１は複合機（ＭＦＰ）であり、用紙に各種の方法で入手した画像を形成して図１における排紙部９０に出力する。また、この画像形成装置１は、その周囲を撮像して画像データを入手する撮像部（撮像手段：カメラ）８０を具備する。図１において、撮像部８０によって、画像形成装置１の近傍にいる人物Ｈが撮像される。この人物Ｈは、この画像形成装置１のユーザー（排紙部９０への出力がされるようにこの画像形成装置１を操作した人物）と、それ以外の他人に分類される。
【００１２】
図２において、この画像形成装置１は、ユーザーが操作パネル１１を操作することによって操作される。表示部（表示手段：ディスプレイ）１２は、画像形成装置１の上部に設けられ、画像形成装置１の状態や、ユーザーに対する指示を表示し、ユーザーが操作パネル１１を操作するに際して補助的に用いられる。用紙に形成される画像は、例えば接続された記憶媒体を介して印刷データ入手部１３から入手した印刷データによって出力される。また、画像が形成された原稿を原稿読取部（スキャナ）１４によって光学的に読み込んだ画像データから用紙に画像を形成することもできる。また、原稿読取部１４から入手した画像データを接続された記憶媒体に記憶させることもできる。
【００１３】
用紙に画像を形成する動作は、画像形成部（画像形成手段）１５によって機械的に行われる。画像形成部１５においては、用紙上にトナーで構成された画像パターンが形成された後に定着される。最終的に、この用紙は図１における排紙部９０まで導かれて出力される。こうした動作は、画像形成装置１内において用紙が搬送される際に行われ、用紙を搬送するための複数のローラー等で構成される用紙搬送機構１６が設けられている。実際には用紙搬送機構１６は、画像形成装置１における各所に分散されて構成されている。ＣＰＵである制御部（制御手段）２０は、上記の構成要素を制御し、上記の動作を行わせる。また、制御部２０は、前記の撮像部８０を制御し、この画像形成装置１の周囲を撮像することができる。
【００１４】
ここで、制御部２０には、各種のデータに対して各種の動作を行うプロセッサである撮像データ解析部（使用者認識手段）２１、人物認識部（人物認識手段）２２、画像データ解析部２３、機密性認識部（機密性認識手段）２４が接続されている。
【００１５】
撮像データ解析部２１は、撮像部８０によって得られた撮像データを解析し、その中に人物Ｈがいる場合には、周知のパターン認識手法によって、これを認識する。ここで、ユーザーがこの画像形成装置１を使用するに際して、操作パネル１１に対する何らかの操作を行う際に、制御部２０は、撮像部８０によってこの状況を撮像させる。このため、この状況における撮像データ中で認識された人物Ｈをユーザーとして認識することができる。特に、操作パネル１１と撮像部８０の位置関係を、ユーザーが操作パネル１１を操作する際にユーザーの顔を撮像部８０によって撮像できるように設定すれば、ユーザーの顔を認識することは容易である。こうして得られたユーザーの顔のデータを使用者情報記憶部２５に記憶し、以降において、ユーザーの識別情報として用いることができる。また、ここで以降の制御の対象となる動作は、排紙部９０に画像が形成された用紙を出力させる動作（印刷出力を行う動作）であり、これ以外の動作は本願発明とは無関係である。このため、以下の説明におけるユーザとは、このような印刷出力を行わせるためにこの画像形成装置１を操作した人物を意味する。
【００１６】
その後に撮像部８０で撮像を行わせた場合に、撮像データ解析部２１によってこの撮像データ中において人物Ｈが認識された場合に、人物認識部２２は、使用者情報記憶部２５を参照して、認識された人物Ｈが前記のユーザーであるか、他人であるかを認識することができる。あるいは、撮像データ中に複数の人物Ｈが認識された場合に、その中に他人が含まれるか否かを認識することができる。以降に説明する動作では、この中に撮像データ中における他人の存在の有無の判定結果が用いられる。
【００１７】
また、画像データ解析部２３は、画像形成部１５によって用紙に形成される画像中の文字を認識し、予め設定された特定の文字列がこの画像中にあるか否かを認識し、機密性認識部２４は、このような文字列が認められた場合に、この画像が機密保護の対象である（この画像に守秘性がある）と認識することができる。具体的には、こうした文字列の例として、「会議」、「ミーティング」、「打ち合わせ」、「経営方針」、「業績」、「稟議」、「社外秘」、「機密」、「ｓａｆｅｔｙ」、「ｃｏｎｆｉｄｅ（ｎｔｉａｌ）」等がある。
【００１８】
ここで、画像が形成された用紙は排紙部９０において、通常出力（機密保護が全く考慮されずに行われる出力）と、機密保護出力のいずれかで出力される。制御部２０は、出力される画像が機密保護の対象であると認められ、かつ画像形成装置１の近傍においてユーザー以外の人物（他人）がいると認識された場合に、機密保護出力を行わせ、これ以外の場合には、通常出力を行わせる。
【００１９】
用紙に対して片面印刷出力が行われ、かつ通常出力を行う場合には、排紙部９０において、用紙は画像が形成された側の面を上側にして出力されるものとする。このため、ユーザーは、出力された用紙における画像（文書等）を、即時に確認することができる。ただし、ユーザーと同様にこの画像形成装置１の近傍にいる他人も、同様にこの画像を目視することができる。
【００２０】
一方、機密保護出力の場合には、通常出力の場合とは異なり、出力された用紙上の画像が遮蔽されるように用紙が排紙部９０で出力される。用紙搬送機構１６において用紙が搬送される際に、画像が形成された後の用紙を表裏反転させる用紙反転部１７が、機密保護出力のために設けられている。ただし、用紙反転部１７を用いずに機密保護出力をさせることもできる。機密保護出力の具体的内容については後述する。
【００２１】
図３は、制御部２０の動作を示すフローチャートの第１の例である。この動作は、片面印刷出力の場合を対象としている。また、この動作は、印刷ジョブ毎に行われる。ここでは、まず、この画像形成装置１における出力（画像が形成された用紙が排紙部９０に出力されるような動作）が行われるように、ユーザーによって操作パネル１１が操作される。この状況が撮像部８０で撮像されることによって、前記のように、制御部２０がユーザーを認識する（Ｓ１）。認識されたユーザーの情報（顔の画像データ等）は、使用者情報記憶部２５に記憶される。その後、制御部２０は、前記のように、出力される全頁にわたる画像について、画像データ解析部２３、機密性認識部２４によって、この画像が機密保護の対象であるか否かを出力前に判定する（Ｓ２）。
【００２２】
その後、制御部２０は、撮像部８０を用いて画像形成装置１周囲を再び撮像し（Ｓ３）、撮像データ解析部２１、人物認識部２２を用い、使用者情報記憶部２５を参照して、撮像された画像の中に、認識されたユーザー以外の人物（他人）がいるか否かを判定する（Ｓ４）。他人の存在が認められなかった場合（Ｓ４：Ｎｏ）には、全頁に対して、通常出力が行われる（Ｓ５）。この場合には、排紙部９０において、用紙における画像が形成された側となる表面が上側となって出力される。
【００２３】
撮像された画像の中に、他人がいることが認められた場合（Ｓ４：Ｙｅｓ）には、この画像が機密保護の対象となるか否か（Ｓ６）に応じた動作が行われる。まず、ここで出力される画像（全頁分）が機密保護の対象ではない場合（Ｓ６：Ｎｏ）には、前記と同様に、通常出力が行われる（Ｓ５）。すなわち、画像が機密保護の対象ではない場合には、他人の存在の有無に関わらず、同様に通常出力が行われる（Ｓ５）。
【００２４】
一方、ここで出力される画像が機密保護の対象である場合（Ｓ６：Ｙｅｓ）には、機密保護出力が行われる（Ｓ７）。ここでは、前記の用紙反転部１７が用いられ、画像が形成、定着された後の用紙が表裏逆転してから図１における排紙部９０で出力される。このため、排紙部９０においては、画像が形成されていない裏面が上側となり、ユーザー、他人は共に用紙上に形成された画像を排紙部９０において見ることができない。このため、図３に示された動作によって、出力されるべき画像に対する機密保護を図ることができる。なお、機密保護出力が行われた場合には、表示部１２でその旨を表示させることが好ましい。
【００２５】
図３の動作においては、撮像（Ｓ３）、他人の存在の有無の判定（Ｓ４）は、出力が行われる前に１回のみ行われ、この判定結果に応じて通常出力（Ｓ５）、機密保護出力（Ｓ７）のいずれかが行われた。ここで、出力が複数頁（複数枚の用紙）にわたる場合もあるが、通常出力（Ｓ５）、機密保護出力（Ｓ７）のどちらにおいても、出力される各用紙は同じ状態（表面が上、又は裏面が上）となる。
【００２６】
これに対して、出力される頁数が多い場合には、印刷（出力）の開始時には他人がいなかったが、その後に他人が画像形成装置１の近くに来る場合もある。図４に示された第２の例となるフローチャートの動作は、こうした場合に適している。
【００２７】
図４のフローチャートにおいては、ユーザーの認識（Ｓ１）、画像の機密性の有無の認識（Ｓ２）については前記と同様に、用紙が出力される前に行われる。ただし、撮像部８０による撮像（Ｓ３）、他人の存在の有無の判定（Ｓ４）の具体的内容については前記と同様であるが、これらの動作は各頁の出力前に毎回行われる。また、この動作においては、ある頁の印刷出力を行わせずに待機させる状態（待機状態）と、印刷出力を即時に行わせる状態（非待機状態）の設定がなされる。デフォールトとしては、非待機状態が設定される（Ｓ１１）。
【００２８】
ある頁の出力前において、他人の存在が認められなかった場合（Ｓ４：Ｎｏ）には、この１頁分の通常出力、すなわち、表面（画像が形成された側の面）を上側にして用紙が排紙部９０に出力される（Ｓ１２）。他人の存在が認められ（Ｓ４：Ｙｅｓ）、かつ画像が機密保護対象である場合（Ｓ６：Ｙｅｓ）には、まず、現在において待機状態が設定されているか否かが判定される（Ｓ１３）。この時点で初めて他人の存在が認められた場合（Ｓ４：Ｙｅｓ）には、非待機状態が設定されている（Ｓ１１、Ｓ１３：Ｎｏ）ため、画像が形成された用紙の代わりに白紙（画像が形成されていない用紙）が出力される（Ｓ１４）。その後、待機状態が設定される（Ｓ１５）。その後、再び撮像（Ｓ３）、他人の存在の有無の判定（Ｓ４）が行われ、他人が存在し（Ｓ４：Ｙｅｓ）、かつ画像が機密保護対象である場合（Ｓ６：Ｙｅｓ）には、待機状態が設定されたために（Ｓ１５、Ｓ１３：Ｙｅｓ）、再び撮像（Ｓ３）、他人の存在の有無の判定（Ｓ４）が行われる。このため、排紙部９０においては、白紙が出力されてから、他人がいなくなったと認められる（Ｓ４：Ｎｏ）まで、以降の出力は停止する。
【００２９】
他人がいなくなったと認められた（Ｓ４：Ｎｏ）場合には、通常出力が行われる（Ｓ１２）。その後は、非待機状態の設定（Ｓ１１）、撮像（Ｓ３）、他人の存在の有無の判定（Ｓ４）以降の動作が、全ての頁の出力が行われる（Ｓ１６：Ｙｅｓ）まで、頁毎に同様に行われる。この場合においても、他人の存在が認められたために、白紙が出力された（Ｓ１４）、あるいはその後に待機状態とされた（Ｓ１５）ために出力（Ｓ１２）が休止している場合は、その旨を表示部１２で表示することが好ましい。
【００３０】
こうした動作によっても、機密保護が要求される画像が形成された用紙の出力に対して機密保護が図られる。この動作においては、用紙反転部１７は用いられない。白紙を出力させる（Ｓ１４）に際しては、用紙が画像形成部１５をバイパスする、あるいは画像形成部１５でブランク出力が行われるように設定とすればよい。
【００３１】
図５は、１１頁にわたり用紙Ｐを出力させる際に機密保護出力が全く適用されない場合（図５（ａ））と、７頁目の出力後に他人の存在が確認でき、この他人がまだ存在する場合（図５（ｂ））、その後にこの他人が立ち去った場合（図５（ｃ））、の排紙部９０における出力の状況を示す図である。図５（ｂ）の場合には、白紙Ｐ０が７頁の後に追加されており、これによってこの時点で一番最後に印刷出力された７頁目の用紙Ｐが遮蔽されている。この状態は、この他人が立ち去るまで維持され、この他人が立ち去った後に、排紙部９０においては、最終的には図５（ｃ）のような形態となる。出力中で白紙Ｐ０となった頁をユーザーは容易に認識することができるため、後で白紙Ｐ０を除去して出力された全頁を用いることができる。
【００３２】
また、図４の動作において、出力される画像の機密度の有無の認識（Ｓ２）において、制御部２０は、機密度の認識のために用いられた文字列が存在する頁を認識することができる。このため、これによって、特に機密保護の対象となる頁のみが遮蔽される設定とすることもできる。図４の動作において、白紙を出力する（Ｓ１４）際には、その直前に出力された用紙がこのように機密保護の対象となっていないと認識される場合には、白紙の出力（Ｓ１４）を行わない設定とすることもできる。この場合には、他人が立ち去るまで次の頁の出力が行われないだけであり、最終的に出力される形態を、図５（ａ）のように機密保護出力が全く適用されない場合と同様とすることができる。
【００３３】
また、図４の動作と同様に、複数頁にわたる出力の途中で出力の方式を変えることができる動作として、図６に示されたフローチャートによる動作（第３の例）がある。ここでは、機密保護動作として、図３の動作と同様に出力される用紙の表裏を反転させる動作が行われる。
【００３４】
図６の動作においても、ユーザーの認識（Ｓ１）、機密性の有無の認識（Ｓ２）は、前記と同様に行われる。その後、最初に撮像（Ｓ３）が行われる前に、デフォールトの出力状態の設定として、通常出力とすることが設定される（Ｓ２１）。以降の動作は、頁毎に行われ、前記と同様に、撮像された画像中における他人の存在の有無が判定される（Ｓ４）。ここで、他人が存在すると認められない場合（Ｓ４：Ｎｏ）には、出力状態の設定（Ｓ２１）は変更されない。
【００３５】
また、他人が存在すると認められたが（Ｓ４：Ｙｅｓ）、出力が機密保護の対象でない場合（Ｓ６：Ｎｏ）においても、上記と同様に、出力状態の設定（Ｓ２１）は変更されない。一方、他人が存在すると認められ（Ｓ４：Ｙｅｓ）、かつ出力が機密保護の対象である（Ｓ２）と認識された場合（Ｓ６：Ｙｅｓ）においてのみ、出力状態の設定が、機密保護出力とするように変更される（Ｓ２２）。その後、この頁の出力は、このような設定に基づいて行われ（Ｓ２３）、通常出力が設定された場合（Ｓ２３：Ｎｏ）には１頁分の通常出力（Ｓ１２）、機密保護出力が設定された場合（Ｓ２３：Ｙｅｓ）には、１頁分の機密保護出力（Ｓ２４）が行われる。この出力が終了し、全ての頁についての出力が終わっていない場合（Ｓ１６：Ｎｏ）には、上記の動作は、撮像（Ｓ３）から繰り返される。
【００３６】
この動作においては、出力が機密保護の対象である（Ｓ２）と認識された場合（Ｓ６：Ｙｅｓ）においても、一度他人が存在すると認められる（Ｓ４：Ｙｅｓ）までは、頁毎に通常出力が行われる（Ｓ１２）。他人が存在すると認められた（Ｓ４：Ｙｅｓ）後は、その後にこの他人が立ち去った場合でも、機密保護出力とした設定（Ｓ２２）がその後に変更されることはなく、以降の出力は全て機密保護出力（Ｓ２４）で行われる。
【００３７】
図６の動作が行われた場合の排紙部９０における用紙Ｐの出力の状況を図５に対応させて図７に示す。図７の場合には、８頁以降の用紙Ｐが裏向きに出力される。図４の動作においては、図５（ｂ）の状態で動作が一時休止するのに対して、図６の動作においては、動作は連続的に行われるため、速やかに全頁の出力が行われる。また、白紙Ｐ０は不要となるため、このために用紙が消耗することはない。
【００３８】
なお、図３、４、６の動作では、片面印刷の出力を行う場合を対象としていた。仮に図３、６の動作を両面印刷の出力を行う場合に適用した場合においては、裏面側にも画像があるため、これらの動作によっては機密保護が図れない場合がある。これに対して、白紙を出力する図４の動作は、両面印刷、両面印刷のどちらにおいても同様に有効である。すなわち、両面印刷の場合には、特に図４の動作を行わせることが好ましい。
【００３９】
また、前記の通り、上記の動作は、印刷ジョブ毎に行われ、印刷ジョブが片面印刷、両面印刷のいずれかであるかは制御部２０が認識することができる。このため、入力された印刷ジョブが片面印刷である場合には、図３又は図６の動作を行わせ、両面印刷である場合には図4の動作を行わせるように設定することができる。これによって、待ち時間が長くなるおそれのある図４の動作が両面印刷のみに適用されるため、作業を効率的に行うことができる。
【００４０】
この際、複数の印刷ジョブが入力された場合には、その優先度を、上記の動作を考慮して設定することもできる。例えば、一つの印刷ジョブ（第１の印刷ジョブ）が片面印刷であり、かつその出力が機密保護の対象であるものとする。他の一つの印刷ジョブ（第２の印刷ジョブ）は、両面印刷であり、かつその出力が機密保護の対象であるものとする。上記の設定とした場合には、両面印刷の場合には他人の存在により待ち時間が長くなる可能性があるのに対して、片面印刷の場合にはこのような待ち時間は発生しない。このため、こうした場合には、制御部２０が、長い休止時間が発生する可能性がある第２の印刷ジョブの優先度を第１の印刷ジョブよりも下げて、この画像形成装置１を動作させることが好ましい。
【００４１】
なお、上記の例においては、用紙上に出力されるべき画像における機密性の有無は、この画像中における特定の文字列の有無によって判定された。しかしながら、他の事項によって、あるいは他の事項を更に組み合わせて機密性の有無を判定（設定）することもできる。例えば、他人が存在しても、この他人と画像形成装置１（排紙部９０）との間の距離が遠ければ、機密保持出力をする必要性は低く、この距離が近ければ、機密保護出力をする必要性は高くなる。このため、撮像部８０によって認識された他人とこの画像形成装置１との間の距離を、上記の事項として採用することができる。ここで、この距離については、高い精度は要求されないために、撮像画像解析部２１が撮像データ中で人物を認識する際に認識することができる。
【００４２】
また、上記の例の場合には、出力される画像における機密性に関しては、その有無という二者択一の状態が設定された。しかしながら、実際には、内容の重要度等に応じて、機密を要する度合い（機密レベル）が複数段階に設定される場合もある。表１においては、前記のように機密性の有無の判定に用いられた文字列の例を、更に細かく三種類に分類している。ここで、機密レベルが「高」「中」、「低」の順に、機密を要する度合いが高くなっている。
【００４３】
ここで、機密レベルが高ければ、出力される画像をより他人に見えにくくすることが要求される。一方、機密レベルが低ければ、出力される画像がこれよりも他人に見えやすくなったとしても、ユーザーにとって排紙部９０で画像が見やすくなくことが好ましい場合もある。このため、機密性の有無（他人の存在がある場合に機密保護出力を行わせるか否か）を、機密レベルと上記の距離に応じて設定することができる。すなわち、各機密レベルに応じて距離の閾値を設定し、他人の存在が認識されただけではなく、認識された他人に対する距離がこの閾値を下回った場合に、上記の動作における機密性があるとされた場合の動作を行わせることができる。
【００４４】
【表１】
2019010794.tif 000003
【００４５】
表１において、機密レベルが高い順に、この距離の閾値が大きく設定されている。このため、機密レベルが高い場合には、他人が遠くにいた場合でも機密保護出力が行われ、機密保護出力がされやすくなる。このため、他人はこの画像をより見にくくなる一方、ユーザーもこの画像を見にくくなる。一方、機密レベルが低い場合には、機密保護出力はされにくくなる。このため、他人がこの画像を見る可能性は若干高まるものの、ユーザーはこの画像を見やすくなる。このため、ユーザーに対する利便性がさらに向上する。
【００４６】
この場合においては、図３、４、６の動作において、出力画像の機密性認識（Ｓ２）の代わりに機密レベルが「高」「中」、「低」のいずれかであるかの判定を行い、機密保護の対象であるか否かの判定（Ｓ６）の代わりに、他人との間の距離が機密レベルに応じた閾値を下回ったか否かの判定を行えばよい。
【００４７】
この例においては、機密レベルに応じた機密保護出力の採用のされやすさを段階的に調整するために、上記のような他人との間の距離が用いられた。しかしながら、この距離以外にも、同様の目的で他のパラメータを採用することができる。
【００４８】
なお、上記の構成においては、ユーザーの認識が、撮像部８０による撮像データによって行われた。すなわち、撮像部８０、撮像データ解析部２１が、この画像形成装置１を操作したユーザーを認識するための使用者認識手段として用いられた。こうした設定は、不特定多数の人物がこの画像形成装置１を用いる場合には、特に好ましい。しかしながら、ユーザーが限定される場合には、ユーザーとなりうる人物が予め登録され、例えば操作パネルからユーザーが識別番号等を入力することによって、制御部がユーザーを認識してもよい。こうした場合においても、ユーザーの顔の画像情報等を認識していれば、その後で撮像部によって撮像された撮像データ中に他人がいるか否かの判定をすることができる。すなわち、上記の例では、使用者認識手段として撮像部８０、撮像データ解析部２１が用いられたが、適切にユーザーを認識できる限りにおいて、他の使用者認識手段を用いることもできる。
【００４９】
また、上記の例においては、機密性認識部２４によって、出力されるべき画像中の文字に応じて機密性の有無あるいは機密レベルが設定されたが、ユーザーが操作パネルを介して機密性の有無あるいは機密レベルを設定できる構成とし、その後の動作を上記と同様に行わせることもできる。すなわち、機密性認識手段としても、他の方法でこれらを認識あるいは設定するものを用いることができる。
【符号の説明】
【００５０】
１  画像形成装置
１１  操作パネル
１２  表示部（表示手段）
１３  印刷データ入手部
１４  原稿読取部
１５  画像形成部（画像形成手段）
１６  用紙搬送機構
１７  用紙反転部
２０  制御部（制御手段）
２１  撮像データ解析部（使用者認識手段）
２２  人物認識部（人物認識手段）
２３  画像データ解析部
２４  機密性認識部（機密性認識手段）
２５  使用者情報記憶部
８０  撮像部（撮像手段：使用者認識手段）
９０  排紙部
Ｈ  人物
Ｐ  用紙
Ｐ０  白紙
【図１】
2019010794.tif 000004
【図２】
2019010794.tif 000005
【図３】
2019010794.tif 000006
【図４】
2019010794.tif 000007
【図５】
2019010794.tif 000008
【図６】
2019010794.tif 000009
【図７】
2019010794.tif 000010